(57)【要約】【課題】防水性能を確保し且つステレオ感を良好に再現できる防水マイク装置を、提供する。【解決手段】防水マイク装置は、複数のマイクと、ハウジングと、複数の非通気性のカバー部材とを、備えている。複数のマイクは、音を収音して音声信号を出力する。ハウジングは、複数のマイクを個別に収容する。ハウジングは、複数の孔部を有している。複数の孔部は、複数のマイクそれぞれに音を導く。複数の非通気性のカバー部材それぞれは、ハウジングの孔部を密閉可能に、ハウジングに装着される。【選択図】図４
2014143674.tif 000002
【特許請求の範囲】
【請求項１】
音を収音して音声信号を出力する複数のマイクと、
複数の前記マイクを個別に収容し、複数の前記マイクそれぞれに音を導く複数の孔部を有するハウジングと、
それぞれが前記孔部を密閉可能に前記ハウジングに装着される複数の非通気性のカバー部材と、
を備える防水マイク装置。
【請求項２】
音及び振動を減衰するために、前記ハウジングと複数の前記マイクそれぞれとの間に配置される減衰部材、
をさらに備える請求項１に記載の防水マイク装置。
【請求項３】
前記減衰部材及び前記ハウジングのいずれか一方には、前記減衰部材と前記ハウジングとの間を通過する音を遮るための遮音部が、形成されている、
請求項２に記載の防水マイク装置。
【請求項４】
前記遮音部には、前記マイクと前記カバー部材との間の空気を通過させるための通路が、形成されている、
請求項３に記載の防水マイク装置。
【請求項５】
複数の前記減衰部材を前記ハウジングとの間で挟持するために、前記ハウジングに装着される固定部材、
をさらに備える請求項２から４のいずれかに記載の防水マイク装置。
【請求項６】
前記ハウジングは、複数のマイク収納部を、さらに有しており、
複数の前記マイクそれぞれは、対応する前記マイク収納部に収容される、
請求項１から５のいずれかに記載の防水マイク装置。
【請求項７】
前記カバー部材は、第１シートと第２シートとから構成される積層シートであり、
前記第２シートは、前記第１シートより剛性が高い、
請求項１から６のいずれかに記載の防水マイク装置。
【請求項８】
前記第１シートは、マイク側に配置され、
前記第２シートは、前記マイクとは反対側に配置される、
請求項６に記載の防水マイク装置。
【請求項９】
前記第１シートは、シリコンゴムで形成され、
前記第２シートは、前記第１シートに積層されポリエチレンテレフタレートで形成されている、
請求項７又は８に記載の防水マイク装置。
【発明の詳細な説明】
【技術分野】
【０００１】
本開示は、防水マイク装置に関する。
【背景技術】
【０００２】
近年のデジタルカメラには、防水マイク装置を、備えたものがある。このタイプのマイク装置は、マイクへの水の浸入を防ぐための防水用のカバー部材（防水シート）を、有している。この防水用のカバー部材は、外部からマイクへ向かう水の侵入を防止する構造を、有している。また、この防水用のカバー部材は、外部からマイクへ向かう空気の通過、及びマイク側から外部に向かう空気の通過は、許可する構造（通気性構造）を、有している。
【先行技術文献】
【特許文献】
【０００３】
【特許文献１】特開2012-160897号公報
【発明の概要】
【発明が解決しようとする課題】
【０００４】
従来の防水マイク装置では、防水用のカバー部材が通気性構造を有しているため、防水用のカバー部材を通過した音と、防水用のカバー部材の振動によって生じる音とが、干渉するおそれがある。これにより、マイクによって収音された音の位相が、崩れてしまうおそれがある。すなわち、ステレオ感を良好に再現することが難しい。
本開示は、上記のような問題に鑑みてなされたものであり、防水性能を確保し且つステレオ感を良好に再現することを目的とする。
【課題を解決するための手段】
【０００５】
ここに開示される防水マイク装置は、複数のマイクと、ハウジングと、複数の非通気性のカバー部材とを、備えている。複数のマイクは、音を収音して音声信号を出力する。ハウジングは、複数のマイクを個別に収容する。ハウジングは、複数の孔部を有している。複数の孔部は、複数のマイクそれぞれに音を導く。複数の非通気性のカバー部材それぞれは、ハウジングの孔部を密閉可能に、ハウジングに装着される。
【発明の効果】
【０００６】
本開示における防水マイク装置では、防水性能を確保し且つステレオ感を良好に再現することができる。
【図面の簡単な説明】
【０００７】
【図１】本実施の形態に係るデジタルカメラを前方から見た外観斜視図。
【図２】本実施の形態に係るデジタルカメラを後方から見た外観斜視図。
【図３Ａ】本実施の形態に係るデジタルカメラの背面の分解斜視図。
【図３Ｂ】本実施の形態に係るデジタルカメラの前面の分解斜視図。
【図３Ｃ】本実施の形態に係るデジタルカメラの上部の分解斜視図。
【図４】本実施の形態に係る収音部の断面図。
【図５】本実施の形態に係るマイクダンパの上面図。
【図６】他の実施の形態に係るマイクダンパの断面図。
【図７】他の実施の形態に係るマイクダンパの上面図。
【発明を実施するための形態】
【０００８】
次に、図面を用いて、実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【０００９】
なお、以下の実施形態では、撮像装置の一例として、デジタルカメラを例に挙げて説明する。また、以下の説明では、デジタルカメラの通常姿勢（以下、横撮り姿勢ともいう）を基準として、被写体に向かう方向を「前方」、被写体から離れる方向を「後方」、鉛直上方を「上方」、鉛直下方を「下方」、被写体に正対した状態における右向きを「右方」、被写体に正対した状態における左向きを「左方」と、定義する。
【００１０】
（デジタルカメラ１００の全体構成）
図１は、本実施の形態に係るデジタルカメラ１００を前方から見た外観斜視図である。図２は、本実施の形態に係るデジタルカメラ１００を後方から見た外観斜視図である。図３Ａは、本実施の形態に係るデジタルカメラ１００の背面の分解斜視図である。図３Ｂは、本実施の形態に係るデジタルカメラ１００の前面の分解斜視図である。図３Ｃは、本実施の形態に係るデジタルカメラ１００の上部の分解斜視図である。
【００１１】
デジタルカメラ１００は、静止画像の撮影、記録、再生を実行する機能を有する。また、デジタルカメラ１００は、音声を記録可能且つ再生可能な電子機器である。具体的には、デジタルカメラ１００は、音声を伴った動画像の撮影、記録、および再生を実行する機能を有する。
デジタルカメラ１００では、静止画像又は動画像を撮影する場合には、被写体から入射された光が、画像に変換され、この画像が記録される。
【００１２】
図１、図２、図３Ａ、図３Ｂ、図３Ｃに示すように、デジタルカメラ１００は、筐体４０と、トップフレーム１０１と、リアケースユニット２０７と、リアフレーム１０２と、フロントフレーム１０３と、サイドフレーム１０４と、バッテリ蓋１０５と、光学系１０とを、有する。
筐体４０には、デジタルカメラ１００を動作させるための各種機構及び制御基板等が、配置されている。また、筐体４０には、光学系１０と、トップフレーム１０１と、リアケースユニット２０７と、リアフレーム１０２と、フロントフレーム１０３と、サイドフレーム１０４と、バッテリ蓋１０５と、光学系１０とが、装着される。さらに、バッテリ蓋１０５は、筐体４０に開閉自在に装着される。
【００１３】
トップフレーム１０１には、操作釦１０１ａが配置される。トップフレーム１０１は、第一のマイクロフォン用貫通孔１０１Ｌ、１０１Ｒが、形成されている。
リアケースユニット２０７は、操作釦２０７ａと、モニタ２０と、スピーカ（図示しない）とが、装着されている。モニタ２０は、例えば、記録された画像を、表示する。
リアフレーム１０２は、リアケースユニット２０７を覆うように、筐体４０の背面に装着される。リアフレーム１０２には、操作釦２０７ａを配置するための釦孔１０２ａと、モニタ２０を配置するためのモニタ枠１０２ｂとが、形成されている。
【００１４】
フロントフレーム１０３には、被写体からの光を光学系に導くための光学枠１０３ａが、形成されている。フロントフレーム１０３は、筐体４０の前面に装着される。
光学系１０には、被写体から光が入射する。光学系１０は、筐体４０の内部に装着されている。
ここで、デジタルカメラ１００のフロントフレーム１０３の内側には、水密性の内部空間が、形成されている。より詳細には、水密性の内部空間は、筐体４０と、リアケースユニット２０７とから、構成されている。水密製の内部空間には、マイクロフォン２０３Ｌ，２０３Ｒを含む収音部３０が、収容されている。
【００１５】
（収音部の構成）
図４は、本実施の形態に係るデジタルカメラ１００の収音部を説明するための断面図である。図４は、図１及び図２のＡ−Ａ断面である。図５は、マイクダンパ２０２Ｌ、２０２Ｒの上面図である。
図４に示すように、デジタルカメラ１００のトップフレーム１０１の内部（下方）には、収音部３０が配置されている。収音部３０（防水マイク装置の一例）は、筐体４０に一体に形成されている。収音部３０は、マイク収納部２０１（ハウジングの一例）と、マイクダンパ２０２Ｌ、２０２Ｒ（減衰部材の一例）と、マイクロフォン２０３Ｌ、２０３Ｒ（マイクの一例）と、板金２０４と、マイクシート２０５Ｌ、２０５Ｒ（非通気性のカバー部材の一例）と、フレキシブルプリント基板２０８と、を有している。
【００１６】
マイク収納部２０１は、筐体４０に一体に形成されている。マイク収納部２０１は、左側のマイク収納部２０１Ｌと、右側のマイク収納部２０１Ｒとから、構成されている。マイク収納部２０１Ｌ、２０１Ｒには、第二のマイクロフォン用貫通孔２０６Ｌ、２０６Ｒが、形成されている。
マイクダンパ２０２Ｌ、２０２Ｒは、デジタルカメラ１００の内部機構の動作時のノイズを、減衰させるためのものでもある。また、マイクダンパ２０２Ｌ、２０２Ｒは、音（音波）をマイクロフォン２０３Ｌ、２０３Ｒに良好に到達させるためのものである。
【００１７】
マイクダンパ２０２Ｌ、２０２Ｒは、マイクロフォン２０３Ｌ、２０３Ｒの外側に配置されている。具体的には、マイクダンパ２０２Ｌ、２０２Ｒは、円筒状に形成されている。より具体的には、図４及び図５に示すように、マイクダンパ２０２Ｌ、２０２Ｒは、第三のマイクロフォン用貫通孔２０２Ｌａ、２０２Ｒａと、第１リブ２０２Ｌｂ、２０２Ｒｂ（遮音部の一例）と、第２リブ２０２Ｌｃ、２０２Ｒｃ（遮音部の一例）と、凹部２０２Ｌｆ、２０２Ｒｆと、を、有する。第１リブ２０２Ｌｂ、２０２Ｒｂは、マイクダンパ２０２Ｌ、２０２Ｒの上面において、円弧状に形成されている。第２リブ２０２Ｌｃ、２０２Ｒｃは、マイクダンパ２０２Ｌ、２０２Ｒの外周面において、円弧状に形成されている。
【００１８】
第１リブ２０２Ｌｂ、２０２Ｒｂの両端間には、図５に示すように、通路２０２Ｌｄ、２０２Ｒｄが形成されている。同様に、第２リブ２０２Ｌｃ、２０２Ｒｃの両端間には、通路２０２Ｌｅ、２０２Ｒｅが形成されている。通路２０２Ｌｄ、２０２Ｒｄ、２０２Ｌｅ、２０２Ｒｅは、マイクロフォン２０３Ｌ、２０３Ｒの上方の密閉空間の気圧を調整するために用いられる。密閉空間は、マイクシート２０５Ｌ、２０５Ｒと、マイクダンパ２０２Ｌ、２０２Ｒと、マイクロフォン２０３Ｌ、２０３Ｒとから形成される空間である。通路２０２Ｌｄ、２０２Ｒｄ、２０２Ｌｅ、２０２Ｒｅは、密閉空間の気圧が変動した場合、この密閉空間の気圧を大気圧に徐々に戻すように機能する。
【００１９】
凹部２０２Ｌｆ、２０２Ｒｆは、マイクダンパ２０２Ｌ、２０２Ｒの内周部において、円周方向に環状に形成されている。凹部２０２Ｌｆ、２０２Ｒｆは、マイクロフォン２０３Ｌ、２０３Ｒと係合する。
このマイクダンパ２０２Ｌ、２０２Ｒを使用することで、マイクロフォン２０３Ｌ、２０３Ｒ及びマイクシート２０５Ｌ、２０５Ｒの取付順序を、任意に決定することができる。ここでは、マイクシート２０５Ｌ、２０５Ｒをマイク収納部２０１Ｌ、２０１Ｒに設置した後、マイクロフォン２０３Ｌ、２０３Ｒがマイク収納部２０１Ｌ、２０１Ｒに組み込まれる場合の例を示す。しかし、例えば、マイクロフォン２０３Ｌ、２０３Ｒをマイク収納部２０１Ｌ、２０１Ｒに組み込んだ後、マイクシート２０５Ｌ、２０５Ｒをマイク収納部２０１Ｌ、２０１Ｒに設置してもよい。
【００２０】
マイクロフォン２０３Ｌ，２０３Ｒは、外部の音（音波）を収音する装置である。マイクロフォン２０３Ｌ，２０３Ｒは、外部の音を収音すると、音声信号を出力する。音声信号には、図示しないデジタル音声処理部において、各種処理が施される。例えば、デジタル音声処理部は、音声信号に対して、指向性合成処理を実行する。
ここで、指向性合成処理について説明しておく。デジタルカメラ１００の右方から来る音波は、先に右側のマイクロフォン２０３Ｒに到達して、その後、所定の遅延時間を経て、左側のマイクロフォン２０３Ｌに到達する。このため、右側のマイクロフォン２０３Ｒの音声出力を、遅延時間分だけ遅延させて、この結果を、左側のマイクロフォン２０３Ｌの音声出力から引くことによって、右方から来る音波に対する出力は相殺される。一方で、デジタルカメラ１００の左方から来る音波も、デジタルカメラ１００の右方から来る音波と同様に処理することによって、デジタルカメラ１００の左方から来る音波に対する音声出力も、相殺される。このようにして、デジタルカメラ１００に左右から到達する音（ステレオ音）が、生成される。
【００２１】
マイクロフォン２０３Ｌ，２０３Ｒは、マイク部２０３Ｌａ，２０３Ｒａと、接続部２０３Ｌｂ，２０３Ｒｂとを、有している。マイク部２０３Ｌａ，２０３Ｒａは、円筒状に形成されている。マイク部２０３Ｌａ，２０３Ｒａの外周部は、マイクダンパ２０２Ｌ、２０２Ｒの凹部２０２Ｌｆ、２０２Ｒｆに嵌合される。マイク部２０３Ｌａ，２０３Ｒａは、接続部２０３Ｌｂ，２０３Ｒｂにおいて、フレキシブルプリント基板２０８に半田接続される。また、２個のマイクロフォン２０３Ｌ，２０３Ｒは、互いに近接して配置されている。より具体的には、２個のマイクロフォン２０３Ｌ，２０３Ｒは、所定の距離を隔てて互いに近接した状態で配置されている。
【００２２】
板金２０４は、マイクダンパ２０２Ｌ、２０２Ｒ及びマイクロフォン２０３Ｌ、２０３Ｒを、保持するためのものである。板金２０４は、雌ネジ孔部２０４ａを、有する。板金２０４は、ネジ部材２１０を雌ネジ孔部２０４ａに螺合することによって、筐体４０に固定される。ネジ部材２１０の頭部と雌ネジ孔部２０４ａの上部との間には、シール部材が配置されている。
【００２３】
マイクシート２０５Ｌ、２０５Ｒは、振動可能であり、防水機能を有している。また、マイクシート２０５Ｌ、２０５Ｒは、非通気性の材質から構成されている。マイクシート２０５Ｌ、２０５Ｒは、粘着剤２０７Ｌ、２０７Ｒによって、マイク収納部２０１Ｌ、２０１Ｒの外側に固定されている。
マイクシート２０５Ｌ、２０５Ｒは、第１シート２０５Ｌａ、２０５Ｒａと、第２シート２０５Ｌｂ、２０５Ｒｂとを、有している。第１シート２０５Ｌａ、２０５Ｒａは、弾性部材である。詳細には、第１シート２０５Ｌａ、２０５Ｒａは、弾性及び耐候性を有する部材である。また、第１シート２０５Ｌａ、２０５Ｒａは、第２シート２０５Ｌｂ、２０５Ｒｂより剛性が低い材質によって、形成されている。例えば、第１シート２０５Ｌａ、２０５Ｒａは、シリコンゴムによって形成されている。
【００２４】
第１シート２０５Ｌａ、２０５Ｒａは、マイクロフォン２０３Ｌ、２０３Ｒ側に配置されている。言い換えると、第１シート２０５Ｌａ、２０５Ｒａは、マイクロフォン２０３Ｌ、２０３Ｒと第２シート２０５Ｌｂ、２０５Ｒｂとの間に、配置されている。なお、第１シート２０５Ｌａ、２０５Ｒａとマイクロフォン２０３Ｌ、２０３Ｒとの間には、密閉空間が形成されている。
【００２５】
第２シート２０５Ｌｂ、２０５Ｒｂは、第１シート２０５Ｌａ、２０５Ｒａに積層されている。第２シート２０５Ｌｂ、２０５Ｒｂは、弾性部材である。詳細には、第２シート２０５Ｌｂ、２０５Ｒｂは、耐候性及び弾性を有する部材である。また、第２シート２０５Ｌｂ、２０５Ｒｂは、第１シート２０５Ｌａ、２０５Ｒａより剛性が高い材質によって、形成されている。例えば、第２シート２０５Ｌｂ、２０５Ｒｂは、ポリエチレンテレフタレートによって形成されている。
【００２６】
第２シート２０５Ｌｂ、２０５Ｒｂは、マイクロフォン２０３Ｌ、２０３Ｒとは反対側に配置されている。具体的には、第２シート２０５Ｌｂ、２０５Ｒｂは、トップフレーム１０１側に配置される。
（収音部の組み立て方法）
収音部３０では、まず、マイクシート２０５Ｌ、２０５Ｒが、第二のマイクロフォン用貫通孔２０６Ｌ、２０６Ｒを塞ぐように、マイク収納部２０１Ｌ、２０１Ｒの上面に装着される。次に、マイクロフォン２０３Ｌ、２０３Ｒが、マイクダンパ２０２Ｌ、２０２Ｒに装着される。詳細には、マイクロフォン２０３Ｌ、２０３Ｒが、マイクダンパ２０２Ｌ、２０２Ｒの凹部２０２Ｌｆ、２０２Ｒｆに嵌合される。
【００２７】
続いて、マイクダンパ２０２Ｌ、２０２Ｒに装着されたマイクロフォン２０３Ｌ、２０３Ｒが、マイク収納部２０１Ｌ、２０１Ｒに、装着される。この状態では、マイクダンパ２０２Ｌ、２０２Ｒの第１リブ２０２Ｌｂ、２０２Ｒｂ及び第２リブ２０２Ｌｃ、２０２Ｒｃが、マイク収納部２０１Ｌ、２０１Ｒに当接している。このようにして、マイクロフォン２０３Ｌ、２０３Ｒ及びマイクダンパ２０２Ｌ、２０２Ｒが、マイク収納部２０１Ｌ、２０１Ｒに装着される。
【００２８】
最後に、板金２０４が、筐体４０に固定される。具体的には、まず、シール部材２１１が、筐体４０に形成されたネジ孔に配置される。次に、ネジ部材２１０が、筐体４０の外側から、筐体４０に形成されたネジ孔に、挿通される。そして、このネジ部材２１０の雄ネジ部を、板金２０４の雌ネジ孔部２０４ａに螺合する。このようにして、板金２０４が、ネジ部材２１０を介して、筐体４０に固定される。
【００２９】
このようにして、収音部３０が、組み立てられると、マイクダンパ２０２Ｌ、２０２Ｒが、板金２０４とマイク収納部２０１Ｌ、２０１Ｒとの間で、挟持される。また、この状態では、マイクロフォン２０３Ｌ、２０３Ｒは、マイクダンパ２０２Ｌ、２０２Ｒだけによって、支持されている。
最後に、収音部のレイアウトをまとめると、収音部３０では、外側から順に、マイクシート２０５Ｌ、２０５Ｒ、粘着剤２０７Ｌ、２０７Ｒ、第二のマイクロフォン用貫通孔２０６Ｌ、２０６Ｒ、第三のマイクロフォン用貫通孔２０２Ｌａ、２０２Ｒａ（マイクダンパ２０２Ｌ、２０２Ｒの上部）、マイクロフォン２０３Ｌ、２０３Ｒ、マイクダンパ２０２Ｌ、２０２Ｒの下部、フレキシブルプリント基板２０８、板金２０４が、配置されることになる。
【００３０】
（収音方法）
本デジタルカメラ１００では、外部の音（音波）が、トップフレーム１０１の第一のマイクロフォン用貫通孔１０１Ｌ、１０１Ｒを通過すると、マイク収音部３０すなわちマイクシート２０５Ｌ、２０５Ｒに到達する。ここで、マイクシート２０５Ｌ、２０５Ｒは非通気性であるので、外部の音は、マイクシート２０５Ｌ、２０５Ｒを通過せず、マイクシート２０５Ｌ、２０５Ｒを振動させる。このマイクシート２０５Ｌ、２０５Ｒの振動によって、音（音波）が発生する。すると、この音は、第二のマイクロフォン用貫通孔２０６Ｌ、２０６Ｒと、第三のマイクロフォン用貫通孔２０２Ｌａ、２０２Ｒａを通過して、マイクロフォン２０３Ｌ、２０３Ｒへ到達し収音される。
【００３１】
なお、外部からの音波（マイクシート２０５Ｌ、２０５Ｒの振動によって発生した音波）が、可能な限り損失なく、マイクロフォン２０３Ｌ、２０３Ｒに到達するように、マイクダンパ２０２Ｌ、２０２Ｒには、第１リブ２０２Ｌｂ、２０２Ｒｂと、第２リブ２０２Ｌｃ、２０２Ｒｃとが、形成されている。第１リブ２０２Ｌｂ、２０２Ｒｂ及び第２リブ２０２Ｌｃ、２０２Ｒｃをマイク収納部２０１に当接させることによって、マイクダンパ２０２Ｌ、２０２Ｒとマイク収納部２０１との密着度を、向上している。また、ビス２０９で板金２０４をマイク収納部２０１に固定することで、マイクダンパ２０２Ｌ、２０２Ｒとマイク収納部２０１Ｌ、２０１Ｒとの密着度を、さらに向上している。
【００３２】
（まとめ）
（１）収音部３０は、マイクシート２０５Ｌ、２０５Ｒが非通気性であるので、外部の音は、マイクシート２０５Ｌ、２０５Ｒを通過することなく、マイクシート２０５Ｌ、２０５Ｒの振動によって生じる音だけが、マイクロフォン２０３Ｌ、２０３Ｒに収音される。このように、収音部３０では、マイクシート２０５Ｌ、２０５Ｒが非通気性であるので、外部の音は、マイクロフォン２０３Ｌ、２０３Ｒに直接的に到達しない。すなわち、収音部３０では、マイクシート２０５Ｌ、２０５Ｒの振動によって生じる音が、外部の音として、マイクロフォン２０３Ｌ、２０３Ｒに収音される。このように、収音部３０では、マイクシート２０５Ｌ、２０５Ｒを通過した音と、マイクシート２０５Ｌ、２０５Ｒの振動によって生じる音とが、干渉することがないので、ステレオ感を良好に再現することができる。
【００３３】
また、収音部３０では、各マイクロフォン２０３Ｌ、２０３Ｒが個別にマイク収納部２０１Ｌ、２０１Ｒに収容されているので、複数のマイクロフォンがマイク収納部内の１つの空間にまとめて収容される場合と比較して、ステレオ感を良好に再現することができる。
上記の内容を、より具体的に説明する。複数のマイクロフォンが、マイク収納部にまとめて収容される場合（一室収容）、通気性のマイクシートでは、マイクシートを通過した外部の音と、マイクシートの振動によって生じた音とが、複数のマイクロフォンに収音される。ここで、マイクシートを通過した外部の音は、ステレオ音の性質を有しており、マイクシートの振動によって生じた音は、実質的にモノラル音の性質を有している。つまり、マイクロフォンに収音された音は、ステレオ音とモノラル音とが混じった音になるため、マイクロフォンに収音された音から、ステレオ音だけを抽出することが難しい。
【００３４】
また、複数のマイクロフォンが、マイク収納部に個別に収容されたとしても、通気性のマイクシートを用いた場合、一室収容の場合と同様に、マイクロフォンに収音された音は、ステレオ音とモノラル音とが混じった音になる。このため、この場合でも、マイクロフォンに収音された音から、ステレオ音だけを抽出することは難しい。
しかしながら、収音部３０は、マイクシート２０５Ｌ、２０５Ｒが非通気性であり、且つ各マイクロフォン２０３Ｌ、２０３Ｒが個別にマイク収納部２０１Ｌ、２０１Ｒに収容されているので、各マイクロフォン２０３Ｌ、２０３Ｒは、ステレオ音だけを良好に収音することができる。
【００３５】
（２）収音部３０は、マイクダンパ２０２Ｌ、２０２Ｒを備えている。マイクダンパ２０２Ｌ、２０２Ｒは、音及び振動を減衰するためのものである。マイクダンパ２０２Ｌ、２０２Ｒは、マイク収納部２０１Ｌ、２０１Ｒとマイクロフォン２０３Ｌ、２０３Ｒとの間に配置されている。このように、マイク収納部２０１Ｌ、２０１Ｒとマイクロフォン２０３Ｌ、２０３Ｒとの間に、マイクダンパ２０２Ｌ、２０２Ｒを配置することによって、デジタルカメラ１００の内部機構の音及び／又は振動と、デジタルカメラ１００が外部から受ける振動及び／又はこの振動を受けた時の音とを、良好に減衰することができる。
【００３６】
（３）収音部３０では、マイクダンパ２０２Ｌ、２０２Ｒが、第１リブ２０２Ｌｂ、２０２Ｒｂと、第２リブ２０２Ｌｃ、２０２Ｒｃとを、有している。この第１リブ２０２Ｌｂ、２０２Ｒｂ、及び第２リブ２０２Ｌｃ、２０２Ｒｃによって、マイクダンパ２０２Ｌ、２０２Ｒとマイク収納部２０１Ｌ、２０１Ｒとの間を通過する音を、遮ることができる。すなわち、デジタルカメラ１００の内部機構の音と、デジタルカメラ１００が外部から振動を受けた時の音とを、良好に遮ることができる。
【００３７】
（４）収音部３０では、第１リブ２０２Ｌｂ、２０２Ｒｂ、及び第２リブ２０２Ｌｃ、２０２Ｒｃには、マイクロフォン２０３Ｌ、２０３Ｒとマイクシート２０５Ｌ、２０５Ｒとの間の空気を抜くための通路２０２Ｌｄ、２０２Ｒｄ、２０２Ｌｅ、２０２Ｒｅが、形成されている。例えば、マイクロフォン２０３Ｌ、２０３Ｒが、マイクシート２０５Ｌ、２０５Ｒが装着されたマイク収納部２０１Ｌ、２０１Ｒに、装着される場合、マイクシート２０５Ｌ、２０５Ｒが、マイクシート２０５Ｌ、２０５Ｒとマイクロフォン２０３Ｌ、２０３Ｒとの間の空間に存在する空気によって、膨らんでしまうおそれがある。この場合、マイクロフォン２０３Ｌ、２０３Ｒは、外部の音を良好に収音できないおそれがある。これに対して、収音部３０では、第１リブ２０２Ｌｂ、２０２Ｒｂ、及び第２リブ２０２Ｌｃ、２０２Ｒｃに、上記の通路２０２Ｌｄ、２０２Ｒｄ、２０２Ｌｅ、２０２Ｒｅが、形成されているので、この通路２０２Ｌｄ、２０２Ｒｄ、２０２Ｌｅ、２０２Ｒｅによって、上記の空気を逃がすことができるので、マイクシート２０５Ｌ、２０５Ｒを正常の位置に配置することができる。
【００３８】
（５）収音部３０では、複数のマイクダンパ２０２Ｌ、２０２Ｒが、板金２０４とマイク収納部２０１とによって、挟持されている。例えば、複数のマイクロフォン２０３Ｌ、２０３Ｒ及び複数のマイクダンパ２０２Ｌ、２０２Ｒを、マイク収納部２０１Ｌ、２０１Ｒに配置し、板金２０４が複数のマイクダンパ２０２Ｌ、２０２Ｒに当接した状態で、マイク収納部２０１Ｌ、２０１Ｒに装着される。これにより、板金２０４に入力された振動を、マイクダンパ２０２Ｌ、２０２Ｒによって良好に減衰することができる。また、収音部３０が、複数の部材から構成されていても、板金２０４によって、収音部３０を容易に組み立てることができる。
【００３９】
（６）収音部３０では、各マイクロフォン２０３Ｌ、２０３Ｒは、各マイク収納部２０１Ｌ、２０１Ｒに、収容される。これにより、収音部３０では、各マイクロフォン２０３Ｌ、２０３Ｒが１つのマイク収納部２０１に収容される場合と比較して、ステレオ感を良好に得ることができる。
（７）収音部３０では、マイクシート２０５Ｌ、２０５Ｒは、シリコンゴムで形成された第１シートと、第１シートに積層されポリエチレンテレフタレートで形成された第２シートとを、有している。このように、マイクシート２０５Ｌ、２０５Ｒが、非通気性の材質から構成されている。
【００４０】
一方で、一般的なマイクシートは、通気性である。通気性のマイクシートは、非通気性のマイクシート２０５Ｌ、２０５Ｒと比較して、耐圧性能が低いことが、知られている。このため、通気性のマイクシートを用いた場合、水圧が大きくなればなるほど、マイクシートの面積を小さくする必要がある。そして、マイクシートの面積を小さくした場合、マイクシートの振動によって生じる音を、マイクロフォン２０３Ｌ、２０３Ｒが良好に収音できないおそれがある。
【００４１】
これに対して、収音部３０では、マイクシート２０５Ｌ、２０５Ｒが、非通気性の材質から構成されているので、通気性のマイクシートと同じ耐圧性能を確保しようとした場合、マイクシート２０５Ｌ、２０５Ｒの面積を大きくすることができる。すなわち、収音部３０では、耐圧性能を良好に確保しながら、音を良好に収音することができる。
（他の実施の形態）
本発明は、上記実施の形態に限定されず、種々の実施形態が考えられる。以下、本発明の他の実施の形態について記載する。
【００４２】
（Ａ）前記実施形態では、マイクシート２０５Ｌ、２０５Ｒをマイク収納部２０１Ｌ、２０１Ｒに設置した後に、マイクロフォン２０３Ｌ、２０３Ｒをマイク収納部２０１Ｌ、２０１Ｒに組み込む場合の例を、示した。これに代えて、マイクロフォン２０３Ｌ、２０３Ｒをマイク収納部２０１Ｌ、２０１Ｒに組み込んだ後、マイクシート２０５Ｌ、２０５Ｒをマイク収納部２０１Ｌ、２０１Ｒに設置してもよい。この場合も、上記と同様の効果を得ることができる。
【００４３】
（Ｂ）前記実施形態では、マイクダンパ２０２Ｌ、２０２Ｒが、第１リブ２０２Ｌｂ、２０２Ｒｂと、第２リブ２０２Ｌｃ、２０２Ｒｃとを、有する場合の例を示した。これに代えて、図６に示すように、第１リブ２０２Ｌｂ、２０２Ｒｂと、第２リブ２０２Ｌｃ、２０２Ｒｃとを、マイク収納部２０１に形成するようにしてもよい。また、第１リブ２０２Ｌｂ、２０２Ｒｂ、及び第２リブ２０２Ｌｃ、２０２Ｒｃのいずれか一方を、マイクダンパ２０２Ｌ、２０２Ｒに形成し、第１リブ２０２Ｌｂ、２０２Ｒｂ、及び第２リブ２０２Ｌｃ、２０２Ｒｃのいずれか他方を、マイク収納部２０１に形成してもよい。これらの場合も、上記と同様の効果を得ることができる。なお、図６では、前記実施形態と同様の構成については、同じ符号を付している。
【００４４】
（Ｃ）前記実施形態では、２個のマイクロフォン２０３Ｌ，２０３Ｒが用いられる場合の例が示されたが、マイクロフォン２０３Ｌ，２０３Ｒの個数は、前記実施形態に限定されず、３個以上であってもよい。
（Ｄ）前記実施形態では、第１シート２０５Ｌａ、２０５Ｒａがシリコンゴムによって形成される場合の例が示されたが、第１シート２０５Ｌａ、２０５Ｒａは、弾性及び耐候性を有する部材であれば、どのような部材であってもよい。例えば、第１シート２０５Ｌａ、２０５Ｒａは、ＥＰＤＭ（エチレン−プロピレン−ジエンゴム）等によって、形成されてもよい。
【００４５】
（Ｅ）前記実施形態では、第２シート２０５Ｌｂ、２０５Ｒｂがポリエチレンテレフタレートによって形成される場合の例が示されたが、第２シート２０５Ｌｂ、２０５Ｒｂは、弾性及び耐候性を有する部材であれば、どのような部材であってもよい。例えば、第２シート２０５Ｌｂ、２０５Ｒｂは、ＰＢＴ（ポリブチレンテレフタレート）等によって、形成されていてもよい。
【００４６】
（Ｆ）前記実施形態では、図５を参照すると、第１リブ２０２Ｌｂ、２０２Ｒｂの通路２０２Ｌｄ、２０２Ｒｄと、第２リブ２０２Ｌｃ、２０２Ｒｃの通路２０２Ｌｅ、２０２Ｒｅとが、マイクダンパ２０２Ｌ、２０２Ｒを外方（上方）から見て、同位相で形成される場合の例を示したが、通路２０２Ｌｄ、２０２Ｒｄ、２０２Ｌｅ、２０２Ｒｅは、必ずしも、同位相である必要はない。例えば、図７に示すように、第１リブ２０２Ｌｂ、２０２Ｒｂの通路２０２Ｌｄ、２０２Ｒｄと、第２リブ２０２Ｌｃ、２０２Ｒｃの通路２０２Ｌｅ、２０２Ｒｅとの位相が、異なっていてもよい。なお、図７では、前記実施形態と同様の構成については、同じ符号を付している。
【００４７】
（Ｇ）前記実施形態では、防水マイク装置の一例である収音部３０が、デジタルカメラ１００に適用された場合の例が示されたが、この収音部３０は、マイク装置を備える装置であれば、どのような装置にも適用できる。
【産業上の利用可能性】
【００４８】
本開示は、防水マイク装置に広く適用できる。
【符号の説明】
【００４９】
３０  収音部
２０５Ｌ、２０５Ｒ  マイクシート
２０３Ｌ、２０３Ｒ  マイクロフォン
２０１Ｌ、２０１Ｒ  マイク収納部
２０２Ｌ、２０２Ｒ  マイクダンパ
２０２Ｌｂ、２０２Ｒｂ  第１リブ
２０２Ｌｃ、２０２Ｒｃ  第２リブ
２０２Ｌｄ、２０２Ｒｄ、２０２Ｌｅ、２０２Ｒｅ  通路
２０４  板金
２０５Ｌａ、２０５Ｒａ  第１シート
２０５Ｌｂ、２０５Ｒｂ  第２シート
【図１】
2014143674.tif 000003
【図２】
2014143674.tif 000004
【図３Ａ】
2014143674.tif 000005
【図３Ｂ】
2014143674.tif 000006
【図３Ｃ】
2014143674.tif 000007
【図４】
2014143674.tif 000008
【図５】
2014143674.tif 000009
【図６】
2014143674.tif 000010
【図７】
2014143674.tif 000011